(57)【要約】      （修正有）【課題】接続箇所を小さくすることができる建物内用の光ケーブル接続具を提供する。【解決手段】光ケーブル接続具は、第１の光ファイバ心線３1と第２の光ファイバ心線３2とを接続した状態でメカニカルスプライス７を固定するためのスポンジ部材１３を収容するための箱形状のメカスプ固定部１１と、メカスプ固定部１１の両側面にそれぞれ取り付けられたかつ第１および第２の光ドロップケーブル１1，１2をそれぞれ固定するための第１および第２のケーブル固定部１２1，１２2とを具備する。第１の光ドロップケーブル１1は、メカスプ固定部１１の両側面に形成された第１の挿入部１１ａ1と第１のケーブル固定部１２1とに挿入されたのちに、第１のケーブル固定部１２1によって固定される。第２の光ドロップケーブルは、メカスプ固定部１１の両側面に形成された第２の挿入部と第２のケーブル固定部とに挿入されたのちに、第２のケーブル固定部によって固定される。【選択図】図５
2008176119.tif 000002
【特許請求の範囲】
【請求項１】
建物外から建物内に引き込まれる第１の光ドロップケーブル（１1）と建物内に敷設される第２の光ドロップケーブル（１2）とを心線接続用スリーブで光学的に接続した状態で固定するための光ケーブル接続具（１０；９０；１１０；２１０）であって、
前記第１の光ドロップケーブルから露出された第１の光ファイバ心線（３1）と前記第２の光ドロップケーブルから露出された第２の光ファイバ心線（３2）とを接続した状態で前記心線接続用スリーブを固定するための心線接続用スリーブ固定手段を収容するための箱形状のスリーブ固定部（１１；２１；３１；４１；５１；９１；１１１ａ，１１１ｂ；２１０）と、
該スリーブ固定部の両端面にそれぞれ取り付けられたかつ前記第１および第２の光ドロップケーブルをそれぞれ固定するための第１および第２のケーブル固定部（１２1，１２2；２２1，２２2；３２1，３２2；４２1，４２2；５２1，５２2；９２1，９２2；１１２1，１１２2；２１２1，２１２2）と、
を具備し、
前記スリーブ固定部の両端面に、前記第１および第２の光ドロップケーブルをそれぞれ挿入するための第１および第２の挿入部（１１ａ1，１１ａ2；２１ａ1，２１ａ2；３１ａ1，３１ａ2：４１ａ1，４１ａ2：５１ａ1，５１ａ2）がそれぞれ形成されており、
前記第１および第２の光ドロップケーブルが、前記第１および第２の挿入部と前記第１および第２のケーブル固定部とにそれぞれ挿入されたのちに該第１および第２のケーブル固定部によってそれぞれ固定される、
ことを特徴とする、光ケーブル接続具。
【請求項２】
前記第１および第２のケーブル固定部が２つの側面および底面を備え、
前記第１および第２のケーブル固定部の両側面が該第１および第２のケーブル固定部の底面の両端部をそれぞれ支点として扇状に開閉可能にされており、
前記第１および第２のケーブル固定部の両側面を開いた状態で前記第１および第２の光ドロップケーブルを該第１および第２のケーブル固定部に挿入したのちに該第１および第２のケーブル固定部の両側面を閉じて該第１および第２の光ドロップケーブルを該第１および第２のケーブル固定部で固定する、
ことを特徴とする、請求項１記載の光ケーブル接続具。
【請求項３】
前記第１および第２のケーブル固定部（１２1，１２2）が、該第１および第２のケーブル固定部の両側面の前記スリーブ固定部（１１）の両端面と対向する側の端面が該スリーブ固定部の端面と切り離されて、該スリーブ固定部と一体的に構成されており、
前記第１および第２のケーブル固定部の上面が、該第１および第２のケーブル固定部の底面の両端部をそれぞれ支点として該第１および第２のケーブル固定部の両側面を扇状にそれぞれ開くことにより切断部開放状態にすることができるように、前記スリーブ固定部の長手方向に沿って三角波形状に切断されており、
前記第１および第２のケーブル固定部が、切断部噛合状態では前記第１および第２の光ドロップケーブルの第１および第２の外被（４1，４2）と同じ大きさの開口部が形成されるような筒状の形状を有する、
ことを特徴とする、請求項２記載の光ケーブル接続具。
【請求項４】
前記第１および第２のケーブル固定部（２２1，２２2）が、該第１および第２のケーブル固定部の両側面を閉じた状態でコの字状の横断面形状を有し、
前記第１および第２のケーブル固定部の両側面の上端部に、鋸刃形状の第１および第２の爪（２２ａ11，２２ａ12，２２ａ21，２２ａ22）が前記スリーブ固定部（２１）の長手方向に沿って互いに向き合うようにそれぞれ形成されており、
前記第１および第２のケーブル固定部の両側面の長さが、前記第１および第２の光ドロップケーブルの第１および第２の外被の縦の長さよりも短くされている、
ことを特徴とする、請求項２記載の光ケーブル接続具。
【請求項５】
前記第１および第２のケーブル固定部（３２1，３２2）が、該第１および第２のケーブル固定部の両側面を閉じた状態でコの字状の横断面形状を有し、
前記第１および第２のケーブル固定部の両側面の上部に、鋸刃形状の第１および第２の爪（３２ａ11，３２ａ12，３２ａ21，３２ａ22）が該第１および第２のケーブル固定部の両側面の上端から該第１および第２のケーブル固定部の底面に向かって互いに向き合うようにそれぞれ形成されており、
前記第１および第２のケーブル固定部の両側面の長さが、前記第１および第２の光ドロップケーブルの前記第１および第２の外被の縦の長さと同じにされている、
ことを特徴とする、請求項２記載の光ケーブル接続具。
【請求項６】
前記第１および第２のケーブル固定部（４２1，４２2）が、該第１および第２のケーブル固定部の両側面を閉じた状態でコの字状の横断面形状を有し、
前記第１および第２のケーブル固定部の両側面の内側に、三角形状の第１および第２の縦溝（４２ａ11，４２ａ12，４２ａ21，４２ａ22）が複数本ずつそれぞれ形成されている、
ことを特徴とする、請求項２記載の光ケーブル接続具。
【請求項７】
前記第１および第２のケーブル固定部（５２1，５２2）が、くの字状の横断面形状を有する側面と逆くの字状の横断面形状を有する他の側面とを備え、
前記第１および第２の光ドロップケーブルが、前記第１および第２のケーブル固定部の前記側面と前記他の側面との間に上から押し込まれることにより前記第１および第２のケーブル固定部にそれぞれ挿入されて固定される、
ことを特徴とする、請求項１記載の光ケーブル接続具。
【請求項８】
前記心線接続用スリーブ固定手段が、前記第１および第２の光ドロップケーブルの先端部と前記第１および第２の光ファイバ心線と前記心線接続用スリーブとを押し込んで固定するための切込み（１３ａ；５３ａ；８３ａ；９３ａ；１１３ａ1，１１３ａ2；２１３ａ1〜２１３ａ3）が形成されたスポンジ部材（１３；５３；８３；９３；１１３1，；１１３2；２１３1〜２１３3）を備えることを特徴とする、請求項１乃至７いずれかに記載の光ケーブル接続具。
【請求項９】
前記切込み（１３ａ；５３ａ；８３ａ；１１３ａ1，１１３ａ2；２１３ａ1〜２１３ａ3）が直線状に形成されていることを特徴とする、請求項８記載の光ケーブル接続具。
【請求項１０】
前記切込み（９３ａ）が、前記スポンジ部材（９３）の中心部に斜めに直線状に形成された前記心線接続用スリーブを固定するための直線部（９３ａ0）と、前記第１および第２の光ファイバ心線をそれぞれ固定するための第１および第２の曲線部（９３ａ1，９３ａ2）とから構成されており、
前記直線部と前記第１の曲線部とが前記第２のケーブル固定部（９２2）側で接続されており、前記直線部と前記第２の曲線部とが前記第１のケーブル固定部（９２1）側で接続されている、
ことを特徴とする、請求項８記載の光ケーブル接続具。
【請求項１１】
三角溝（８３ｂ）が前記切込み（８３ａ）の上に形成されていることを特徴とする、請求項８乃至１０いずれかに記載の光ケーブル接続具。
【請求項１２】
前記心線接続用スリーブを前記光ケーブル接続具の中心に固定するための目印（６１1，６１2，６１3；６２）が、前記スポンジ部材の上面に付けられていることを特徴とする、請求項８乃至１１いずれかに記載の光ケーブル接続具。
【請求項１３】
前記目印の代わりに、前記スリーブ固定部（１１）の長手方向の中心に所定の長さの間隙を持たせて第１および第２のスポンジ部材（７３1，７３2）を該スリーブ固定部に収容し、
前記心線接続用スリーブの両端部を前記第１および第２のスポンジ部材にそれぞれ形成された第１および第２の切込み（７３ａ1，７３ａ2）にそれぞれ押し込んで、該心線接続用スリーブを前記光ケーブル接続具の中心に固定する、
ことを特徴とする、請求項１２記載の光ケーブル接続具。
【請求項１４】
前記スリーブ固定部が、前記第１および第２の光ファイバ心線を接続した状態で前記心線接続用スリーブを固定するための第１のスポンジ部材（１１３1）を収容するための内側スリーブ固定部（１１１ａ）と、第２の光ファイバ心線３2を固定するための第２のスポンジ部材（１１３2）を収容するための外側スリーブ固定部（１１１ｂ）とを備え、
前記内側スリーブ固定部が前記外側スリーブ固定部に対してスライド可能にされている、
ことを特徴とする、請求項１乃至１３いずれかに記載の光ケーブル接続具。
【請求項１５】
前記スポンジ部材が、前記スリーブ固定部（２１１）の前記第１のケーブル固定部（２１２1）側に収容された第１のスポンジ部材（２１３1）と、該スリーブ固定部の前記第２のケーブル固定部（２１２2）側に収容された第２のスポンジ部材（２１３2）と、該スリーブ固定部の中央部に収容された第３のスポンジ部材（２１３3）とに分割されており、
前記第１および第２のスポンジ部材の中央に、前記第１および第２の光ドロップケーブルの先端部を固定するための直線状の第１および第２の切込み（２１３ａ1，２１３ａ2）がそれぞれ形成されており、
前記第３のスポンジ部材の中央に、前記心線接続用スリーブを固定するための第３の切込み（２１３ａ3）が形成されている、
ことを特徴とする、請求項８乃至１３いずれかに記載の光ケーブル接続具。
【請求項１６】
前記スリーブ固定部の底面の中央部に回転台が設けられており、
該回転台上に前記第３のスポンジ部材が固定されている、
ことを特徴とする、請求項１５記載の光ケーブル接続具。
【発明の詳細な説明】
【技術分野】
【０００１】
本発明は、光ケーブル接続具に関し、特に、建物外から建物内に引き込まれた光ドロップケーブルと建物内に敷設された光ドロップケーブルとを建物内で簡易に接続するのに好適な光ケーブル接続具に関する。
【背景技術】
【０００２】
インターネットの普及に伴い、光ファイバを用いて高速かつ大容量の信号を各家庭やオフィスなどへ伝送することができるＦＴＴＨ（Fiber To The Home）が注目されている。光ファイバを各家庭やオフィスなどの建物まで敷設する方法としては、従来のメタル電話線と同様に架空線路を利用して、多芯光ケーブルを敷設する方法が主流である。架空線路から建物までは、引落し用クロージャを介して１芯または２芯の光ドロップケーブルを接続することによって、多芯光ケーブルを分配している。
【０００３】
従来、引落し用クロージャからの光ドロップケーブルと建物内に敷設された光ドロップケーブルとの接続は、建物外に設置された接続具を用いて行われている（たとえば、下記の特許文献１〜３参照）。
【０００４】
また、本出願人は、下記の特許文献４，５において、十分な引張強度を持たせた光ドロップケーブル同士の接続を建物内で行うことができる光ケーブル接続具を提案している。
【０００５】
さらに、下記の特許文献６には、信頼性が高くかつ安価に製造できる光ファイバ接続器が開示されている。この光ファイバ接続器では、下ハウジングの上面に光ファイバ心線のガラス部を位置決めする４本のＶ溝があり、上ハウジングの下面に、ガラス部をこのＶ溝に押え付けるガラス部押圧部がある。板ばねが、このＶ溝とガラス部押圧部とを重ね合せた状態で下ハウジングおよび上ハウジングを押圧する。重合せ部分の４ヶ所の楔挿入穴に楔板の突出部を挿入することにより、重合せ部分の間隙を開く。端末のガラス部を露出させた光ファイバ心線を左右の端部立設部の間から挿入し楔板を引き戻すと、板ばねの復元力により再び下ハウジングおよび上ハウジングが重なり、光ファイバ心線のガラス部および被覆部が把持固定される。
【特許文献１】特開２００４−２９４９９号公報
【特許文献２】特開２００４−３２５９９８号公報
【特許文献３】特開２００５−０７０５６４号公報
【特許文献４】特願２００５−２６３１０７号
【特許文献５】特願２００５−２６３１０８号
【特許文献６】特開平１０−１７０７４８号公報
【発明の開示】
【発明が解決しようとする課題】
【０００６】
しかしながら、上記の特許文献１〜３に開示されているような建物外に設置された接続具では、防水性および引張強度を確保するために接続箇所が大きくなるという問題があるほか、光ドロップケーブル同士の接続に時間がかかるという問題がある。
また、本出願人が上記の特許文献４，５で提案した建物内用の光ケーブル接続具は、建物外での接続よりも作業性を向上することができるが、コンセント内とかプロテクタ内での光ドロップケーブル同士の接続を行うには接続箇所が少し大きいという問題がある。
さらに、上記の特許文献６に開示されている光ファイバ心線接続器は、光ファイバ心線同士の接続には有効であるかもしれないが、光ドロップケーブル同士の接続には必ずしも有効でないという問題がある。
【０００７】
本発明の目的は、接続箇所を小さくすることができる建物内用の光ケーブル接続具を提供することにある。
【課題を解決するための手段】
【０００８】
本発明の光ケーブル接続具は、建物外から建物内に引き込まれる第１の光ドロップケーブル（１1）と建物内に敷設される第２の光ドロップケーブル（１2）とを心線接続用スリーブで光学的に接続した状態で固定するための光ケーブル接続具（１０；９０；１１０；２１０）であって、前記第１の光ドロップケーブルから露出された第１の光ファイバ心線（３1）と前記第２の光ドロップケーブルから露出された第２の光ファイバ心線（３2）とを接続した状態で前記心線接続用スリーブを固定するための心線接続用スリーブ固定手段を収容するための箱形状のスリーブ固定部（１１；２１；３１；４１；５１；９１；１１１ａ，１１１ｂ；２１０）と、該スリーブ固定部の両端面にそれぞれ取り付けられたかつ前記第１および第２の光ドロップケーブルをそれぞれ固定するための第１および第２のケーブル固定部（１２1，１２2；２２1，２２2；３２1，３２2；４２1，４２2；５２1，５２2；９２1，９２2；１１２1，１１２2；２１２1，２１２2）とを具備し、前記スリーブ固定部の両端面に、前記第１および第２の光ドロップケーブルをそれぞれ挿入するための第１および第２の挿入部（１１ａ1，１１ａ2；２１ａ1，２１ａ2；３１ａ1，３１ａ2：４１ａ1，４１ａ2：５１ａ1，５１ａ2）がそれぞれ形成されており、前記第１および第２の光ドロップケーブルが、前記第１および第２の挿入部と前記第１および第２のケーブル固定部とにそれぞれ挿入されたのちに該第１および第２のケーブル固定部によってそれぞれ固定されることを特徴とする。
ここで、前記第１および第２のケーブル固定部が２つの側面および底面を備え、前記第１および第２のケーブル固定部の両側面が該第１および第２のケーブル固定部の底面の両端部をそれぞれ支点として扇状に開閉可能にされており、前記第１および第２のケーブル固定部の両側面を開いた状態で前記第１および第２の光ドロップケーブルを該第１および第２のケーブル固定部に挿入したのちに該第１および第２のケーブル固定部の両側面を閉じて該第１および第２の光ドロップケーブルを該第１および第２のケーブル固定部で固定してもよい。
前記第１および第２のケーブル固定部（１２1，１２2）が、該第１および第２のケーブル固定部の両側面の前記スリーブ固定部（１１）の両端面と対向する側の端面が該スリーブ固定部の端面と切り離されて、該スリーブ固定部と一体的に構成されており、前記第１および第２のケーブル固定部の上面が、該第１および第２のケーブル固定部の底面の両端部をそれぞれ支点として該第１および第２のケーブル固定部の両側面を扇状にそれぞれ開くことにより切断部開放状態にすることができるように、前記スリーブ固定部の長手方向に沿って三角波形状に切断されており、前記第１および第２のケーブル固定部が、切断部噛合状態では前記第１および第２の光ドロップケーブルの第１および第２の外被（４1，４2）と同じ大きさの開口部が形成されるような筒状の形状を有してもよい。
前記第１および第２のケーブル固定部（２２1，２２2）が、該第１および第２のケーブル固定部の両側面を閉じた状態でコの字状の横断面形状を有し、前記第１および第２のケーブル固定部の両側面の上端部に、鋸刃形状の第１および第２の爪（２２ａ11，２２ａ12，２２ａ21，２２ａ22）が前記スリーブ固定部（２１）の長手方向に沿って互いに向き合うようにそれぞれ形成されており、前記第１および第２のケーブル固定部の両側面の長さが、前記第１および第２の光ドロップケーブルの第１および第２の外被の縦の長さよりも短くされていてもよい。
前記第１および第２のケーブル固定部（３２1，３２2）が、該第１および第２のケーブル固定部の両側面を閉じた状態でコの字状の横断面形状を有し、前記第１および第２のケーブル固定部の両側面の上部に、鋸刃形状の第１および第２の爪（３２ａ11，３２ａ12，３２ａ21，３２ａ22）が該第１および第２のケーブル固定部の両側面の上端から該第１および第２のケーブル固定部の底面に向かって互いに向き合うようにそれぞれ形成されており、前記第１および第２のケーブル固定部の両側面の長さが、前記第１および第２の光ドロップケーブルの前記第１および第２の外被の縦の長さと同じにされていてもよい。
前記第１および第２のケーブル固定部（４２1，４２2）が、該第１および第２のケーブル固定部の両側面を閉じた状態でコの字状の横断面形状を有し、前記第１および第２のケーブル固定部の両側面の内側に、三角形状の第１および第２の縦溝（４２ａ11，４２ａ12，４２ａ21，４２ａ22）が複数本ずつそれぞれ形成されていてもよい。
前記第１および第２のケーブル固定部（５２1，５２2）が、くの字状の横断面形状を有する側面と逆くの字状の横断面形状を有する他の側面とを備え、前記第１および第２の光ドロップケーブルが、前記第１および第２のケーブル固定部の前記側面と前記他の側面との間に上から押し込まれることにより前記第１および第２のケーブル固定部にそれぞれ挿入されて固定されてもよい。
前記心線接続用スリーブ固定手段が、前記第１および第２の光ドロップケーブルの先端部と前記第１および第２の光ファイバ心線と前記心線接続用スリーブとを押し込んで固定するための切込み（１３ａ；５３ａ；８３ａ；９３ａ；１１３ａ1，１１３ａ2；２１３ａ1〜２１３ａ3）が形成されたスポンジ部材（１３；５３；８３；９３；１１３1，；１１３2；２１３1〜２１３3）を備えてもよい。
前記切込み（１３ａ；５３ａ；８３ａ；１１３ａ1，１１３ａ2；２１３ａ1〜２１３ａ3）が直線状に形成されていてもよい。
前記切込み（９３ａ）が、前記スポンジ部材（９３）の中心部に斜めに直線状に形成された前記心線接続用スリーブを固定するための直線部（９３ａ0）と、前記第１および第２の光ファイバ心線をそれぞれ固定するための第１および第２の曲線部（９３ａ1，９３ａ2）とから構成されており、前記直線部と前記第１の曲線部とが前記第２のケーブル固定部（９２2）側で接続されており、前記直線部と前記第２の曲線部とが前記第１のケーブル固定部（９２1）側で接続されていてもよい。
三角溝（８３ｂ）が前記切込み（８３ａ）の上に形成されていてもよい。
前記心線接続用スリーブを前記光ケーブル接続具の中心に固定するための目印（６１1，６１2，６１3；６２）が、前記スポンジ部材の上面に付けられていてもよい。
前記目印の代わりに、前記スリーブ固定部（１１）の長手方向の中心に所定の長さの間隙を持たせて第１および第２のスポンジ部材（７３1，７３2）を該スリーブ固定部に収容し、前記心線接続用スリーブの両端部を前記第１および第２のスポンジ部材にそれぞれ形成された第１および第２の切込み（７３ａ1，７３ａ2）にそれぞれ押し込んで、該心線接続用スリーブを前記光ケーブル接続具の中心に固定してもよい。
前記スリーブ固定部が、前記第１および第２の光ファイバ心線を接続した状態で前記心線接続用スリーブを固定するための第１のスポンジ部材（１１３1）を収容するための内側スリーブ固定部（１１１ａ）と、第２の光ファイバ心線３2を固定するための第２のスポンジ部材（１１３2）を収容するための外側スリーブ固定部（１１１ｂ）とを備え、
前記内側スリーブ固定部が前記外側スリーブ固定部に対してスライド可能にされていてもよい。
前記スポンジ部材が、前記スリーブ固定部（２１１）の前記第１のケーブル固定部（２１２1）側に収容された第１のスポンジ部材（２１３1）と、該スリーブ固定部の前記第２のケーブル固定部（２１２2）側に収容された第２のスポンジ部材（２１３2）と、該スリーブ固定部の中央部に収容された第３のスポンジ部材（２１３3）とに分割されており、前記第１および第２のスポンジ部材の中央に、前記第１および第２の光ドロップケーブルの先端部を固定するための直線状の第１および第２の切込み（２１３ａ1，２１３ａ2）がそれぞれ形成されており、前記第３のスポンジ部材の中央に、前記心線接続用スリーブを固定するための第３の切込み（２１３ａ3）が形成されていてもよい。
前記スリーブ固定部の底面の中央部に回転台が設けられており、該回転台上に前記第３のスポンジ部材が固定されていてもよい。
【発明の効果】
【０００９】
本発明の光ケーブル接続具は、以下に示す効果を奏する。
（１）箱形状のスリーブ固定部に収容された心線接続用スリーブ固定手段によって心線接続用スリーブを第１の光ファイバ心線と第２の光ファイバ心線とを接続した状態で固定するとともに、スリーブ固定部の両端面にそれぞれ取り付けられた第１および第２のケーブル固定部によって第１および第２の光ドロップケーブルをそれぞれ固定することにより、光ケーブル接続具の寸法を小さくすることができるので、接続箇所を小さくすることができる。
（２）接続箇所を小さくすることができるので、コンセント内とかプロテクタ内での光ドロップケーブル同士の接続を行うことができるようになる。
【発明を実施するための最良の形態】
【００１０】
上記の目的を、箱形状のスリーブ固定部に収容された心線接続用スリーブ固定手段によって心線接続用スリーブを第１の光ファイバ心線と第２の光ファイバ心線とを接続した状態で固定するとともに、スリーブ固定部の両端面にそれぞれ取り付けられた第１および第２のケーブル固定部によって第１および第２の光ドロップケーブルをそれぞれ固定することにより実現した。
【実施例１】
【００１１】
次に、本発明の光ケーブル接続具の実施例について図面を参照して説明する。
本発明の第１の実施例による光ケーブル接続具１０は、建物外から建物内に引き込まれる第１の光ドロップケーブル１1と建物内に敷設される第２の光ドロップケーブル１2とをメカニカルスプライス７（心線接続用スリーブ）で光学的に接続した状態で固定するためのものであり、図１に示すように、メカスプ固定部１１（スリーブ固定部）と、第１および第２のケーブル固定部１２1，１２2と、スポンジ部材１３（心線接続用スリーブ固定手段）とを具備する。
【００１２】
ここで、第１の光ドロップケーブル１1は、図３に示すように、第１のファイバ心線３1と、第１の光ファイバ心線３1を間において第１の光ファイバ心線３1と平行にかつ間隔をあけて配置された２本の第１のテンションメンバ２11，２12と、第１の光ファイバ心線３1と２本の第１のテンションメンバ２11，２12とを保護するための第１の外被４1とを備える。第１の外被４1は、縦４ｍｍおよび横２ｍｍのほぼ長方形の横断面形状（第１の光ドロップケーブル１1の長手方向に対して垂直に切断したときの長手方向に沿って見た第１の光ドロップケーブル１1の断面形状）を有する。
第２の光ドロップケーブル１2も、上述した第１の光ドロップケーブル１1と同様の構成を有する。
なお、本明細書では、第１および第２の外被４1，４2の横断面形状の長辺に沿った方向を第１および第２の光ドロップケーブル１1，１2の縦方向とし、第１および第２の外被４1，４2の横断面形状の短辺に沿った方向を第１および第２の光ドロップケーブル１1，１2の横方向とする。
【００１３】
メカニカルスプライス７は、単心および多心用として一般に使用されているものであり、長さ４ｃｍ、幅４ｍｍおよび高さ４ｍｍの寸法を有する。
【００１４】
光ケーブル接続具１０は、図４に側面図で示すように、第１および第２の光ファイバ心線３1，３2を立てた状態で（すなわち、第１および第２の光ドロップケーブル１1，１2の縦方向が垂直方向となるように）、かつ、第１および第２の光ファイバ心線３1，３2を４ｃｍほど露出させた状態で、メカニカルスプライス７を用いて第１および第２の光ドロップケーブル１1，１2を接続したのちに、メカニカルスプライス７と第１および第２の光ファイバ心線３1，３2とをこの状態で固定するものである。
【００１５】
光ケーブル接続具１０のメカスプ固定部１１は、四角い箱形状を有し、第１および第２の光ファイバ心線３1，３2を接続した状態でメカニカルスプライス７を固定するためのスポンジ部材１３を収容するためのものである。また、メカスプ固定部１１の両端面（光ケーブル接続具１０の長手方向の両側の面）の中央部には、図２（ａ），（ｂ）に第１の光ドロップケーブル１1側の端面について示すように、第１および第２の光ドロップケーブル１1，１2をその縦方向が垂直方向となるように挿入するための第１および第２の挿入部１１ａ1，１１ａ2がそれぞれ形成されている。
なお、挿入後の第１および第２の光ドロップケーブル１1，１2を第１および第２のケーブル固定部１２1，１２2で確実に固定するために、第１および第２の挿入部１１ａ1，１１ａ2の深さは第１および第２の外被４1，４2の縦の長さ（４ｍｍ）よりも第１および第２のケーブル固定部１２1，１２2の上面の厚さだけ長くされており、第１および第２の挿入部１１ａ1，１１ａ2の幅は第１および第２の外被４1，４2の横の長さ（２ｍｍ）とほぼ同じにされている。
【００１６】
第１のケーブル固定部１２1は、メカスプ固定部１１の第１の挿入部１１ａ1に挿入された第１の光ドロップケーブル１1を左右（第１の光ドロップケーブル１1の横方向）から挟んで固定するためのものである。
そのため、第１のケーブル固定部１２1は、後述の切断部噛合状態では第１の光ドロップケーブル１1の第１の外被４1と同じ縦４ｍｍおよび横２ｍｍの直角形の開口部が形成されるような筒状の形状を有し、かつ、底面の両端部をそれぞれ支点として両側面を扇状にそれぞれ開くことにより後述の切断部開放状態にすることができるように、第１のケーブル固定部１２1の上面はメカスプ固定部１１の長手方向（メカスプ固定部１１の端面と垂直な方向）に沿って三角波形状に切断されている（図１（ｂ）の上面図参照）。また、第１のケーブル固定部１２1は、メカスプ固定部１１と一体的に構成されているが、第１のケーブル固定部１２1の両側面のメカスプ固定部１１の端面と対向する側の端面はメカスプ固定部１１の端面と切り離されている（図１（ａ）の正面図および図１（ｃ）の底面図参照）。
これにより、図２（ａ）に示すように第１のケーブル固定部１２1をその上面の切断部が離れた切断部開放状態にして第１の光ドロップケーブル１1をメカスプ固定部１１の第１の挿入部１１ａ1および第１のケーブル固定部１２1に挿入したのちに、図２（ｂ）に示すように第１のケーブル固定部１２1の上面の切断部が噛み合うまで第１のケーブル固定部１２1の上面部分を工具などで左右から挟んで締め付け第１のケーブル固定部１２1を切断部噛合状態にして第１の光ドロップケーブル１1を左右から挟むことにより、第１の光ドロップケーブル１1を固定することができる。
第２のケーブル固定部１２2は、第２の光ドロップケーブル１2を左右（第２の光ドロップケーブル１2の横方向）から挟んで固定するためのものであり、上述した第１のケーブル固定部１２1と同様に構成されている。
【００１７】
スポンジ部材１３は、メカニカルスプライス７と第１および第２の光ドロップケーブル１1，１2から露出された第１および第２の光ファイバ心線３1，３2と第１および第２の光ドロップケーブル１1，１2の先端部とを固定するためのものである。
スポンジ部材１３の幅方向（スポンジ部材１３の長手方向と垂直な方向）の中央には、直線状の切込み１３ａがスポンジ部材１３の長手方向に沿って形成されている（図１（ｂ）参照）。また、切込み１３ａは、スポンジ部材１３の上面から底面に達するように形成されている。
なお、スポンジ部材１３の深さは、好ましくはメカニカルスプライス７全体がスポンジ部材１３に埋まるようにメカニカルスプライス７の高さ（４ｍｍ）以上とする。また、目メカスプ固定部１１の深さも、好ましくはスポンジ部材１３がすべて収納できるようにスポンジ部材１３の深さ以上とする。
【００１８】
次に、本実施例による光ケーブル接続具１０を用いてメカニカルスプライス７と第１および第２の光ファイバ心線３1，３2と第１および第２の光ドロップケーブル１1，１2の先端部とを固定する方法について、図５を参照して説明する。
まず、作業員は、第１および第２のケーブル固定部１２1，１２2が切断部開放状態にされた光ケーブル接続具１０を用意する。
【００１９】
その後、第１の光ドロップケーブル１1の先端部分の第１の外被４1を剥いで第１の光ファイバ心線３1および第１のテンションメンバ２11，２12を６〜７ｃｍほど露出させるとともに、露出させた第１のテンションメンバ２11，２12を切断する。続いて、作業員は、第２の光ドロップケーブル１2の先端部分の第２の外被４2を剥いで第２の光ファイバ心線３2および第２のテンションメンバ２21，２22を６〜７ｃｍほど露出させるとともに、露出させた第２のテンションメンバ２21，２22を切断する。続いて、作業員は、メカニカルスプライス７を用いて第１および第２の光ファイバ心線３1，３2を露出部が４ｃｍとなるように接続する（図４参照）。
【００２０】
その後、作業員は、左手で第１の光ドロップケーブル１1の先端部分およびメカニカルスプライス７を掴むとともに右手で第２の光ドロップケーブル１2の先端部分およびメカニカルスプライス７を掴んで、光ケーブル接続具１０の上方に持ってくる。続いて、作業員は、メカニカルスプライス７と第１および第２の光ファイバ心線３1，３2と第１および第２の光ドロップケーブル１1，１2の先端部とを切込み１３ａの上に来るようにスポンジ部材１３の上面に置いたのちに切込み１３ａに押し込んでいく。これと同時に、作業員は、第１の光ドロップケーブル１1の先端部分をメカスプ固定部１１の第１の挿入部１１ａ1および第１のケーブル固定部１２1に挿入するとともに、第２の光ドロップケーブル１2の先端部分をメカスプ固定部１１の第２の挿入部１１ａ2および第２のケーブル固定部１２2に挿入する。
【００２１】
その後、作業員は、図５（ａ）に示すように、第１および第２のケーブル固定部１２1，１２2の上面の切断部が噛み合うまで第１および第２のケーブル固定部１２1，１２2の上面部分を工具などで左右から挟んで締め付けて第１および第２のケーブル固定部１２1，１２2を切断部噛合状態にすることにより、第１および第２のケーブル固定部１２1，１２2によって第１および第２の光ドロップケーブル１1，１2を左右から挟んで固定する。
【００２２】
これにより、図５（ｂ）に示すように、メカニカルスプライス７と第１および第２の光ファイバ心線３1，３2と第１および第２の光ドロップケーブル１1，１2の先端部とはスポンジ部材１３によってしっかりと固定され、また、第１および第２の光ドロップケーブル１1，１2は第１および第２のケーブル固定部１２1，１２2によってしっかりと固定される。その結果、光ケーブル接続具１０を用いることにより、第１および第２の光ドロップケーブル１1，１2を簡単な作業で確実に接続することができる。
【００２３】
なお、第１および第２のケーブル固定部１２1，１２2の代わりに、以下に示す第１および第２のケーブル固定部２２1，２２2；３２1，３２2；４２1，４２2；５２1，５２2を用いても同様の効果を得ることができる。
【００２４】
（１）第１および第２のケーブル固定部２２1，２２2
第１のケーブル固定部２２1は、図６（ｂ）の右側に示すように、両側面を閉じた状態でコの字状の横断面形状を有する。また、第１のケーブル固定部２２1の両側面の上端部には、図６（ａ）に示すように、鋸刃形状の第１の爪２２ａ11，２２ａ12がメカスプ固定部２１の長手方向に沿って互いに向き合うようにそれぞれ形成されている。さらに、第１のケーブル固定部２２1の両側面の長さは、図６（ｂ）に示すように、第１の光ドロップケーブル１1の第１の外被４1の縦の長さ（４ｍｍ）よりも短くされている。
図６（ｂ）の左側に示すように、第１のケーブル固定部２２1の両側面を底面の両端部をそれぞれ支点として扇状に開いた状態で第１の光ドロップケーブル１1の先端部分をメカスプ固定部２１の第１の挿入部２１ａ1および第１のケーブル固定部２２1に挿入したのち、第１の爪２２ａ11，２２ａ12の先端が第１の外被４1の両側面にそれぞれ食い込むまで第１のケーブル固定部２２1の上面部分を工具などで左右から挟んで締め付けることにより、第１のケーブル固定部２２1によって第１の光ドロップケーブル１1を左右から挟んで固定する。
図示していないが、第２のケーブル固定部２２2も、上述した第１のケーブル固定部２２1と同様に構成されており、第２のケーブル固定部２２2の両側面を底面の両端部をそれぞれ支点として扇状に開いた状態で第２の光ドロップケーブル１2の先端部分をメカスプ固定部２２の第２の挿入部２１ａ2および第２のケーブル固定部２２2に挿入したのち、第２の爪２２ａ21，２２ａ22の先端が第２の外被４2の両側面にそれぞれ食い込むまで第２のケーブル固定部２２2の上面部分を工具などで左右から挟んで締め付けることにより、第２のケーブル固定部２２2によって第２の光ドロップケーブル１2を左右から挟んで固定する。
【００２５】
（２）第１および第２のケーブル固定部３２1，３２2
第１のケーブル固定部３２1は、図７（ｂ）の右側に示すように、両側面を閉じた状態でコの字状の横断面形状を有する。また、第１のケーブル固定部３２1の両側面の上部には、図７（ａ），（ｂ）に示すように、鋸刃形状の第１の爪３２ａ11，３２ａ12が第１のケーブル固定部３２1の両側面の上端から第１のケーブル固定部３２1の底面に向かって互いに向き合うようにそれぞれ形成されている。さらに、第１のケーブル固定部３２1の両側面の長さは、図７（ｂ）に示すように、第１の光ドロップケーブル１1の第１の外被４1の縦の長さ（４ｍｍ）と同じにされている。
図７（ｂ）の左側に示すように、第１のケーブル固定部３２1の両側面を底面の両端部をそれぞれ支点として扇状に開いた状態で第１の光ドロップケーブル１1の先端部分をメカスプ固定部３１の第１の挿入部３１ａ1および第１のケーブル固定部３２1に挿入したのち、第１の爪３２ａ11，３２ａ12の先端が第１の外被４1の両側面にそれぞれ食い込むまで第１のケーブル固定部３２1の上部を工具などで左右から挟んで締め付けることにより、第１のケーブル固定部３２1によって第１の光ドロップケーブル１1を左右から挟んで固定する。
図示していないが、第２のケーブル固定部３２2も、上述した第１のケーブル固定部３２1と同様に構成されており、第２のケーブル固定部３２2の両側面を底面の両端部をそれぞれ支点として扇状に開いた状態で第２の光ドロップケーブル１2の先端部分をメカスプ固定部３２の第２の挿入部３１ａ2および第２のケーブル固定部３２2に挿入したのち、第２の爪２２ａ21，２２ａ22の先端が第２の外被４2の両側面にそれぞれ食い込むまで第２のケーブル固定部３２2の上部を工具などで左右から挟んで締め付けることにより、第２のケーブル固定部３２2によって第２の光ドロップケーブル１2を左右から挟んで固定する。
【００２６】
（３）第１および第２のケーブル固定部４２1，４２2
第１のケーブル固定部４２1は、図８（ａ）に示すように、両側面を閉じた状態でコの字状の横断面形状を有する。また、第１のケーブル固定部４２1の両側面の内側には、三角形状の第１の縦溝４２ａ11，４２ａ12が複数本ずつそれぞれ形成されている。
第１のケーブル固定部４２1の両側面を底面の両端部をそれぞれ支点として扇状に開いた状態で第１の光ドロップケーブル１1の先端部分をメカスプ固定部４１の第１の挿入部４１ａ1および第１のケーブル固定部４２1に挿入したのち、図８（ｂ）に示すように第１の縦溝４２ａ11，４２ａ12の先端が第１の外被４1の両側面にそれぞれ食い込むまで第１のケーブル固定部４２1の上部を工具などで左右から挟んで締め付けることにより、第１のケーブル固定部４２1によって第１の光ドロップケーブル１1を左右から挟んで固定する。
図示していないが、第２のケーブル固定部４２2も、上述した第１のケーブル固定部４２1と同様に構成されており、第２のケーブル固定部４２2の両側面を底面の両端部をそれぞれ支点として扇状に開いた状態で第２の光ドロップケーブル１2の先端部分をメカスプ固定部４１の第２の挿入部４１ａ2および第２のケーブル固定部４２2に挿入したのち、第２の縦溝４２ａ21，４２ａ22の先端が第２の外被４2の両側面にそれぞれ食い込むまで第２のケーブル固定部４２2の上部を工具などで左右から挟んで締め付けることにより、第２のケーブル固定部４２2によって第２の光ドロップケーブル１2を左右から挟んで固定する。
【００２７】
（４）第１および第２のケーブル固定部５２1，５２2
第１のケーブル固定部５２1は、図９に示すように、第１のケーブル固定部５２1の一方の側面がくの字状の横断面形状を有するとともに他方の側面が逆くの字状の横断面形状を有する。
第１のケーブル固定部５２1の両側面の上部が閉じた状態で第１の光ドロップケーブル１1の先端部分をメカスプ固定部５１の第１の挿入部５１ａ1および第１のケーブル固定部５２1に上から押し込んで挿入することにより、第１のケーブル固定部５２1によって第１の光ドロップケーブル１1を左右から挟んで固定する。
図面には示していないが、第２のケーブル固定部５２2も、上述した第１のケーブル固定部５２1と同様に構成されており、第２のケーブル固定部５２2の両側面の上部が閉じた状態で第２の光ドロップケーブル１2の先端部分をメカスプ固定部５１の第２の挿入部５１ａ2および第２のケーブル固定部５２2に上から押し込んで挿入することにより、第２のケーブル固定部５２2によって第２の光ドロップケーブル１2を左右から挟んで固定する。
【００２８】
また、メカニカルスプライス７を光ケーブル接続具１０の中心に固定するために、図１に示したスポンジ部材１１の上面に以下の目印を付けておいてもよい。
（１）第１乃至第３の黒丸６１1〜６１3
図１０（ａ）に示すように、スポンジ部材１１の中心を示す第１の黒丸印６１1をスポンジ部材１１の中心の切込み１３ａ上に付ける。また、メカニカルスプライス７の両端の位置をそれぞれ示す第２および第３の黒丸印６１2，６１3を切込み１３ａ上に第１の黒丸印６１1から２ｃｍほど離して付ける。
（２）黒色目印６２
図１０（ｂ）に示すように、縦４ｍｍおよび横４ｃｍの長方形とこの長方形の２つ長辺の中央からそれぞれ突出した２つの黒三角形とからなる黒目印６２を２つの黒三角形の頂点がスポンジ部材１１の中心を示すように切込み１３ａ上に付ける。
【００２９】
なお、このような目印の代わりに、図１０（ｃ）に示すように、メカスプ固定部１１の長手方向の中心に３ｃｍの間隙を持たせて第１および第２のスポンジ部材７３1，７３2をメカスプ固定部１１に収容して、メカニカルスプライス７の両端部を第１および第２のスポンジ部材７３1，７３2にそれぞれ形成された第１および第２の切込み７３ａ1，７３ａ2にそれぞれ押し込むことにより、メカニカルスプライス７を光ケーブル接続具１０の中心に固定するようにしてもよい。
【００３０】
図１に示した直線状の切込み１３ａが形成されたスポンジ部材１３の代わりに、図１１（ａ），（ｂ）に示すような切込み８３ａの上に三角溝８３ｂを形成したスポンジ部材８３を用いることにより、メカニカルスプライス７を切込み８３ａに押し込みやすくしてもよい。
【実施例２】
【００３１】
次に、本発明の第２の実施例による光ケーブル接続具９０について、図１２を参照して説明する。
本実施例による光ケーブル接続具９０は、光ケーブル接続具１０の長手方向の寸法を小さくするために、図１２（ｂ）に示すようにメカニカルスプライス７を斜めに収容させるようにしたものである。
【００３２】
そのため、光ケーブル接続具９０では、スポンジ部材９３に形成される切込み９３ａは、図１２（ａ）に示すように、スポンジ部材９３の中心部に斜めに直線状に形成されたメカニカルスプライス７を固定するための直線部９３ａ0（図１２（ａ）では破線で示した。）と、第１および第２の光ファイバ心線３1，３2をそれぞれ固定するための第１および第２の曲線部９３ａ1，９３ａ2とから構成されている。ここで、直線部９３ａ0と第１の曲線部９３ａ1とを第２のケーブル固定部９２2側で接続するとともに、直線部９３ａ0と第２の曲線部９３ａ2とを第１のケーブル固定部９２1側で接続することにより、図１２（ｂ）に示すように第１および第２のファイバ心線３1，３2を一定の曲率を保ちながらスポンジ部材９３で固定できるようにしている。
【実施例３】
【００３３】
次に、本発明の第３の実施例による光ケーブル接続具１１０について、図１３を参照して説明する。
本実施例による光ケーブル接続具１１０は、光ケーブル接続具１１０の長さを変えることができるようにしたものである。
【００３４】
そのために、図１３（ａ），（ｂ）に示すように、メカスプ固定部を内側メカスプ固定部１１１ａと外側メカスプ固定部１１１ｂとに分けて、内側メカスプ固定部１１１ａを外側メカスプ固定部１１１ｂの内側メカスプ固定部１１１ａ側の端面から挿入して、光ケーブル接続具１１０の長手方向に沿ってスライドさせることができるようにされている。
ここで、内側メカスプ固定部１１１ａは、外側メカスプ固定部１１１ｂ側の端面が開放された四角い箱形状を有し、第１および第２の光ファイバ心線３1，３2を接続した状態でメカニカルスプライス７を固定するための第１のスポンジ部材１１３1を収容する。
外側メカスプ固定部１１１ｂは、内側メカスプ固定部１１１ａ側の端面が開放された四角い箱形状を有し、外側メカスプ固定部１１１ｂ内に挿入された第２の光ファイバ心線３2を固定するための第２のスポンジ部材１１３2を収容する。
第１および第２のスポンジ部材１１３1，１１３2には直線状の第１および第２の切込み１１３ａ1，１１３ａ2がそれぞれ形成されているが、第２の切込み１１３ａ2は第１の切込み１１３ａ1の延長線上に形成されている。
【００３５】
また、図１３（ａ）に示すように、外側メカスプ固定部１１１ｂの紙面手前側の側面にはスライド用窓１１５が形成されており、内側メカスプ固定部１１１ａを外側メカスプ固定部１１１ｂに対してスライドさせて光ケーブル接続具１１０の長さを調整したのちに、スライド用窓１１５を貫通させて内側メカスプ固定部１１１ａの紙面手前側の側面を固定ネジ１１４でねじ止めすることにより、内側メカスプ固定部１１１ａを外側メカスプ固定部１１１ｂに対して固定することができるようにされている。
【００３６】
なお、スライド用窓１１５を外側メカスプ固定部１１１ｂの紙面手前側の側面に形成したが、外側メカスプ固定部１１１ｂの紙面奥側の側面または底面に形成してもよい。
【実施例４】
【００３７】
次に、本発明の第４の実施例による光ケーブル接続具２１０について、図１４を参照して説明する。
本実施例による光ケーブル接続具２１０は、図１４（ｂ）に示すように光ケーブル接続具２１０内において第１および第２の光ファイバ心線３1，３2の余長処理ができるようにしたものである。
【００３８】
そのために、光ケーブル接続具２１０では、図１４（ａ）に示すように、スポンジ部材は、メカスプ固定部２１１の第１のケーブル固定部２１２1側に収容された第１のスポンジ部材２１３1と、メカスプ固定部２１１の第２のケーブル固定部２１２2側に収容された第２のスポンジ部材２１３2と、メカスプ固定部２１１の中央部に収容された楕円体形状の第３のスポンジ部材２１３3とに分割されている。
【００３９】
第１および第２のスポンジ部材２１３1，２１３2の中央には、第１および第２の光ドロップケーブル１1，１2の先端部を固定するための直線状の第１および第２の切込み２１３ａ1，２１３ａ2がそれぞれ形成されている。また、第３のスポンジ部材２１３3の中央には、メカニカルスプライス７を固定するための直線状の第３の切込み２１３ａ3が形成されている。
【００４０】
なお、第１および第２の光ファイバ心線３1，３2の余長部分をたるみなく光ケーブル接続具２１０内に収めるために、メカスプ固定部２１１の底面の中央部に回転台を設け、この回転台上に第３のスポンジ部材２１３3を固定してもよい。これにより、第３のスポンジ部材２１３3を回転させて第１および第２の光ファイバ心線３1，３2の余長部分を第３のスポンジ部材２１３3の周面に巻き付けることによって、第１および第２の光ファイバ心線３1，３2の余長部分のたるみをなくすことができる。
【００４１】
以上の説明では、切込みが形成されたスポンジ部材を用いてメカニカルスプライス７と第１および第２の光ドロップケーブル１1，１2から露出された第１および第２の光ファイバ心線３1，３2と第１および第２の光ドロップケーブル１1，１2の先端部とを固定したが、たとえば上述した第１のケーブル固定部１２1，２２1，３２1，４２1，５２1と同様の構成をしたメカニカルスプライス７を固定するための固定部材を図１に示したメカスプ固定部１１の中央部に取り付けて、メカニカルスプライス７のみをこの固定部材で固定してもよい。
【００４２】
また、第１および第２の光ドロップケーブル１1，１2をメカニカルスプライス７で光学的に接続した状態で光ケーブル接続具１０によって固定したのちに、光ケーブル接続具１０全体に保護カバーを被せてもよい。
【００４３】
さらに、本発明の光ケーブル接続具は、単心の光ファイバ心線の接続だけではなく、多心の光ファイバ心線の接続にも使用することができる。
【００４４】
さらにまた、心線接続用スリーブとしてメカニカルスプライス７を用いたが、熱収縮スリーブなどを用いてもよい。
さらにまた、心線接続用スリーブ固定手段としてスポンジ部材１３，５３，８３，９３，１１３1，１１３2，２１３1〜２１３3を用いたが、スポンジ以外の他の緩衝材からなる部材などを用いてもよい。
【図面の簡単な説明】
【００４５】
【図１】本発明の第１の実施例による光ケーブル接続具１０の構成を示す図であり、（ａ）は正面図であり、（ｂ）は上面図であり、（ｃ）は底面図である。
【図２】図１に示した光ケーブル接続具１０の第１のケーブル固定部１２1側の側面図であり、（ａ）は第１のケーブル固定部１２1の切断部開放状態を示す図であり、（ｂ）は第１のケーブル固定部１２1の切断部噛合状態を示す図である。
【図３】第１の光ドロップケーブル１1の構成を示す横断面図である。
【図４】光ケーブル接続具１０によって固定するときの第１および第２の光ドロップケーブル１1，１2の接続状態を説明するための図である。
【図５】図１に示した光ケーブル接続具１０を用いてメカニカルスプライス７と第１および第２の光ファイバ心線３1，３2と第１および第２の光ドロップケーブル１1，１2の先端部とを固定する方法について説明するための図であり、（ａ）は第１のケーブル固定部１２1によって第１の光ドロップケーブル１1を固定する手順を説明するための図であり、（ｂ）は最終の固定状態を示す図である。
【図６】図１に示した第１および第２のケーブル固定部１２1，１２2の代わりに使用することができる第１および第２のケーブル固定部２２1，２２2の構成を示す図であり、（ａ）は第１のケーブル固定部２２1の上面図であり、（ｂ）は第１のケーブル固定部２２1によって第１の光ドロップケーブル１1を固定する手順を説明するための図である。
【図７】図１に示した第１および第２のケーブル固定部１２1，１２2の代わりに使用することができる第１および第２のケーブル固定部３２1，３２2の構成を示す図であり、（ａ）は第１のケーブル固定部３２1の上面図であり、（ｂ）は第１のケーブル固定部３２1によって第１の光ドロップケーブル１1を固定する手順を説明するための図である。
【図８】図１に示した第１および第２のケーブル固定部１２1，１２2の代わりに使用することができる第１および第２のケーブル固定部４２1，４２2の構成を示す図であり、（ａ）は第１のケーブル固定部４２1の構成を説明するための斜視図であり、（ｂ）は第１のケーブル固定部４２1によって第１の光ドロップケーブル１1を固定した後の状態を示す上面図である。
【図９】図１に示した第１および第２のケーブル固定部１２1，１２2の代わりに使用することができる第１および第２のケーブル固定部５２1，５２2の構成と第１のケーブル固定部５２1によって第１の光ドロップケーブル１1を固定する手順とを説明するための図である。
【図１０】メカニカルスプライス７を光ケーブル接続具１０の中心に固定するための３つの手法を説明するための図である。
【図１１】図１に示した直線状の切込み１３ａが形成されたスポンジ部材１３の代わりに使用することができるスポンジ部材８３の構成を説明するための図である。
【図１２】本発明の第２の実施例による光ケーブル接続具９０の構成を示す図であり、（ａ）は固定前の状態を示す上面図であり、（ｂ）は固定後の状態を示す上面図である。
【図１３】本発明の第３の実施例による光ケーブル接続具１１０の構成を示す図であり、（ａ）は正面図であり、（ｂ）は上面図である。
【図１４】本発明の第４の実施例による光ケーブル接続具２１０の構成を示す図であり、（ａ）は固定前の状態を示す上面図であり、（ｂ）は固定後の状態を示す上面図である。
【符号の説明】
【００４６】
１1，１2  第１および第２の光ドロップケーブル
２11，２12，２21，２22  第１および第２のテンションメンバ
３1，３2  第１および第２の光ファイバ心線
４1，４2  第１および第２の外被
７  メカニカルスプライス
１０，９０，１１０，２１０  光ケーブル接続具
１１，２１，３１，４１，５１，９１，２１１  メカスプ固定部
１１ａ1，１１ａ2，２１ａ1，２１ａ2，３１ａ1，３１ａ2，４１ａ1，４１ａ2，５１ａ1，５１ａ2  第１および第２の挿入部
１２1，１２2，２２1，２２2，３２1，３２2，４２1，４２2，５２1，５２2，９２1，９２2，１１２1，１１２2，２１２1，２１２2  第１および第２のケーブル固定部
１３，５３，８３，９３  スポンジ部材
１３ａ，５３ａ，８３ａ，９３ａ  切込み
２２ａ11，２２ａ12，２２ａ21，２２ａ22，３２ａ11，３２ａ12，３２ａ21，３２ａ22  第１および第２の爪
４２ａ11，４２ａ12，４２ａ21，４２ａ22  第１および第２の縦溝
６１1〜６１3  第１乃至第３の黒丸印
６２  黒目印
７３1，７３2  第１および第２のスポンジ部材
７３ａ1，７３ａ2  第１および第２の切込み
８３ｂ  三角溝
９３ａ0  直線部
９３ａ1，９３ａ2  第１および第２の曲線部
１１１ａ  内側メカスプ固定部
１１１ｂ  外側メカスプ固定部
１１３1，１１３2  第１および第２のスポンジ部材
１１３ａ1，１１３ａ2  第１および第２の切込み
１１４  固定ネジ
１１５  スライド用窓
２１３1〜２１３3  第１乃至第３のスポンジ部材
２１３ａ1〜２１３ａ3  第１乃至第３の切込み
【図１】
2008176119.tif 000003
【図２】
2008176119.tif 000004
【図３】
2008176119.tif 000005
【図４】
2008176119.tif 000006
【図５】
2008176119.tif 000007
【図６】
2008176119.tif 000008
【図７】
2008176119.tif 000009
【図８】
2008176119.tif 000010
【図９】
2008176119.tif 000011
【図１０】
2008176119.tif 000012
【図１１】
2008176119.tif 000013
【図１２】
2008176119.tif 000014
【図１３】
2008176119.tif 000015
【図１４】
2008176119.tif 000016